(57)【特許請求の範囲】
【請求項１】
表地が伸縮性生地製の前中心開きのブラジャー主体(1)の下縁に、アンダーバストに対応するバンド部(2)を設けた妊産婦用ブラジャーにおいて、
前記バンド部(2)は、内部に平ゴム帯(3)を通すように伸縮性生地を重ね合せ、該伸縮性生地における左右の外面前合わせ近傍には前記平ゴム帯(3)を引き出すための開口部(22)(22)を、更に当該開口部より前合わせ側位置となる外面には平ゴム帯(3)を外側へ折り返すための環体(5)(5)を設け、また正面側となる外面の左右周方向には、折り返した平ゴム帯(3)の両端を止めるための面ファスナー(61)(61)を設けたものとし、
平ゴム帯(3)は、その両端部(30)(30)に前記バンド部(2)における面ファスナー(61)(61)に対応する面ファスナー(60)(60)を設けたものとし、
バンド部(2)内を通した平ゴム帯(3)の両端部(30)(30)を前記開口部(22)(22)から引き出して前記環体(5)(5)を通して折り返し、当該平ゴム帯(3)の面ファスナー(60)(60)を、バンド部(2)の面ファスナー(61)(61)に係脱可能として、左右のアンダーバストに対する調節手段を設けたことを特徴とする妊産婦用ブラジャー。
【請求項２】
バンド部(2)の背面側中央部分における伸縮性生地及び平ゴム帯(3)を止着したことを特徴とする請求項１記載の妊産婦用ブラジャー。
【発明の詳細な説明】
【０００１】
【発明が属する技術分野】
本発明は、乳房及びアンダーバストのサイズが著しく変化する産前産後を通して、着用可能な妊産婦用ブラジャーに関するものである。
【０００２】
【従来の技術】
従来より、妊産婦用のブラジャーとしては、ベスト型や、ストラップを有するブラジャー型があり、そのいずれにおいても、前中心部分を合わせ部分として当該合わせ部分に縦方向へ配列される複数のボタンやスナップボタン等で留めるもの（以下、前中心合わせブラジャーという。）や、前中心合わせとせず、前身ごろの重ね合せ（前重ね合せブラジャーという。）によるもの等がある。
【０００３】
【発明が解決しようとする課題】
ここで、前中心合わせブラジャーは、前記したように、合わせ部分に縦方向へ配列される複数のボタン等で留めるものであることから、授乳の際において、最も下に位置するボタン等を外さない状態で授乳を行うことができ、両方の乳房が露出状態となることを避けることができる点で、前重ね合せブラジャーと比べて、優れている。
【０００４】
しかしながら、産前から産後に至るまでの妊産婦の乳房は、機能的及び形状的に著しく変化するものであり、これに伴ってアンダーバストは、約５ｃｍ乃至１５ｃｍ程度のサイズ変化が生ずるものであり、当該時期においては、特に大きな乳房を持つ妊産婦においては、当該妊産婦の栄養保持、乳輪部浮腫の予防等のため、バストアップの状態で保持することが必要なこともあって、例えば実公平３−３５２５号や登録実用新案第３００６３８７号に開示される考案のように、前重ね合せブラジャーが前合わせ部分に面ファスナー手段を設けることによって、乳房及びアンダーバストを好みに応じて調節できるものが開示されているが、これに対して、前中心合わせブラジャーにおいては、このような構成を具備させることができず、生地の伸縮性のみに頼らねばならず、結局、極めて短期間にしか使用できない妊産婦用ブラジャーを、異なったサイズのものを複数購入する必要が生じ、非常に不経済なものであった。
【０００５】
また、個人差によっては、左右の乳房の大きさは必ずしも同じ形状、大きさであるとは限らないことから、前記した前重ね合せブラジャーアンダーにおいても、バストを含めて左右の乳房のそれぞれについて最適なフィット感を得ることができない場合もある。
【０００６】
本発明は、以上の事情に鑑みてなされたものであり、産前から産後に至るまでの妊産婦のアンダーバストのサイズ変化に対応できるとともに、、妊産婦用ブラジャーの前合わせを解除せずに手軽にアンダーバストを調整することができ、左右の乳房の大きさや形状にかかわらず、最適なフィット感を得ることができる優れた前中心合わせの妊産婦用ブラジャーを提供することを課題とするものである。
【０００７】
【課題を解決するための手段】
表地が伸縮性生地製の前中心開きのブラジャー主体(1)の下縁に、アンダーバストに対応するバンド部を設けた妊産婦用ブラジャーにおいて、前記バンド部は、内部に平ゴム帯を通すように伸縮性生地を重ね合せ、該伸縮性生地における左右の外面前合わせ近傍には前記平ゴム帯を引き出すための開口部を、更に当該開口部より前合わせ側位置となる外面には平ゴム帯を外側へ折り返すための環体を設け、また正面側となる外面の左右周方向には、折り返した平ゴム帯の両端を止めるための面ファスナーを設けたものとし、平ゴム帯は、その両端部に前記バンド部における面ファスナーに対応する面ファスナーを設けたものとし、バンド部内を通した平ゴム帯の両端部を前記開口部から引き出して前記環体を通して折り返し、当該平ゴム帯の面ファスナーを、バンド部の面ファスナーに係脱可能として、左右のアンダーバストに対する調節手段を設けたことを特徴とする妊産婦用ブラジャーを、課題を解決するための手段とするものである。
【０００８】
【発明の効果】
本発明に係る妊産婦用ブラジャーによれば、前中心開きのブラジャー主体の下縁に、独立したアンダーバスト調節機構を有するバンド部を設けたことから、当該妊産婦用ブラジャーを着用した後でアンダーバストを調節することができ、前合わせ部分を全く開く必要が無く、従って乳房が露出することも無いことから、外出先でのアンダーバストの調節も気軽に行うことができる。
【０００９】
また、バンド部は、アンダーバストに対応する部位の左右それぞれに、前記平ゴム帯を引き出すための開口部と、当該開口部より前合わせ側位置となる外面には平ゴム帯を外側へ折り返すための環体を設け、当該ベルト内を通る平ゴム帯を引き出し面ファスナーによる係着手段を設けたことにより、左右いずれか一方の平ゴム帯を引き、環体で折返し係着することにより、手軽にアンダーバストの調節を行うことができる。従って、例えば、授乳時にアンダーバストの再調節を行いたい場合には、左右いずれか一方の腕で乳児を抱いた状態で、他方の手で平ゴム帯を引き、環体で折り返して係着する手段により、手軽にアンダーバストの調節を行うことができる。
【００１０】
更に、ブラジャー主体を伸縮性生地からなるものとするとともに、上記バンド部の構成を具備したことにより、ブラジャー主体がバンド部に追従することで乳房等にフィットして、産前から産後に至るまでの妊産婦のアンダーバストのサイズ変化に対応でき、最適なフィット感を得ることができる。
【００１１】
また、バンド部(2)の背面側中央部分における伸縮性生地及び平ゴム帯(3)を止着した場合には、背面中央部分を基点として当該アンダーバストを調節する側の平ゴム帯が伸縮することから、このような場合には、左右個別にアンダーバストの調節を行うことができる。
【００１２】
【発明の実施の形態及び実施例】
図１は本発明の実施例１に係る妊産婦用ブラジャーを示す正面図、図２は同実施例に係る妊産婦用ブラジャーの右胸側を展開した正面図、図３は実施例２に係る妊産婦用ブラジャーの背面図、図４は他の実施例に係るブラジャー型の妊産婦用ブラジャーを示す説明図である。
【００１３】
本発明の実施例１に係る妊産婦用ブラジャーは、図１及び図２に示すように、表地には、伸縮性生地(10)として横方向に伸縮性を有するメリヤス生地(10a)を用いた、雌雄スナップボタン(80)(81)の係脱を利用する前中心開きの妊産婦用ブラジャーであり、主として、ブラジャー主体(1)、及び該ブラジャー主体(1)の下端部を折り返して形成され、且つ平ゴム帯(3)を備えたバンド部(2)とから構成されるものである。
【００１４】
以下、本実施例１に係る妊産婦用ブラジャーの各構成について説明する。
前記ブラジャー主体(1)は、正面側及び背面側の２枚のメリヤス生地(10a)を重ね合せ縫製してなり、胸部は、表地と裏打ち部(4)との間にパッドを挿入可能として、乳頭が透けて見えるのを防止してバストラインを隠すことができるとともに、前記裏打ち部(4)へ挿入されるパッドの形状に合わせ、左右の胸部に略椀形の膨らみを持たせるためのダーツ(7)を、当該左右の胸部側面に形成している。
【００１５】
また、前記バンド部(2)は、産前産後の妊産婦のアンダーバストの略最大寸法とすべく、平均的な体格に適合するブラジャーよりアンダーバスト周りを１６０ｍｍ程度大きくしており、且つ、ブラジャー主体(1)の下縁を内側へ折り返し、その内部に平ゴム帯(3)が周方向へ通るように、当該下縁を縫着し、左右の外面前合わせ近傍には前記平ゴム帯(3)を引き出すための開口部(22)(22)を、更に当該開口部より前合わせ側位置となる外面には平ゴム帯(3)を外側へ折り返すための環体(5)(5)を、環状とした生地(23)(23)を介してそれぞれ設け、
正面側となる外面の左右周方向には、折り返した平ゴム帯(3)の端部を止めるための、８０ｍｍ程度の長さを有する面ファスナー(61)(61)を設けた構成としている。
【００１６】
そして、平ゴム帯(3)は、幅２０ｍｍ程度を有するものであり、その両端部(30)(30)には、前記バンド部(2)における面ファスナー(61)(61)に対応する面ファスナー(60)(60)を設けた構成としている。
【００１７】
以上の各構成により、当該実施例１に係る妊産婦用ブラジャーは、バンド部(2)内を通した平ゴム帯(3)の両端部(30)(30)を前記開口部(22)(22)から引き出して前記環体(5)(5)を通して折り返し、当該平ゴム帯(3)の面ファスナー(60)(60)を、バンド部(2)の面ファスナー(61)(61)に係脱可能として、アンダーバストに対する調節手段を設けてなるものである。
【００１８】
また、実施例１においては、上記構成により、雌雄のスナップボタン(80)(81)のみを係着して着用した状態において、片手で左右いずれか一方の平ゴム帯(3)を引張って、雌雄面ファスナー(60)(61)により当該平ゴム帯(3)を係着し直せば、全体としてバンド部(2)を絞ることとなって、極めて手軽にアンダーバストの調節を行うことができる。
【００１９】
また、前記したように、当該バンド部(2)の外周部における雌雄の面ファスナー(60)(61)は、当該バンド部(2)に沿って長さ８０ｍｍ程度に渡って縫着されており、左右それぞれ、この範囲内において、アンダーバストの調節が可能であるから、左右両方を合わせた胸囲のサイズ変更可能な寸法は、１６０ｍｍ程度となる。
【００２０】
従って、アンダーバストが約５ｃｍ乃至１５ｃｍ程度のサイズ変化を生ずる産前産後を通じて、当該妊産婦用ブラジャーのみで足り、新たなサイズのものを買い足す必要もなく、経済的なものとすることができる。
【００２１】
次に、本発明の実施例２に係る妊産婦用ブラジャーは、図３に示すように、その構成において実施例１と略同様のものであるが、本実施例２においては、バンド部(2)の背面中央部分において、当該バンド部(2)のメリヤス生地(10a)と内包される平ゴム帯(3)とを縫着したものである点で相違し、雌雄のスナップボタン(80)(81)のみを係着して着用した状態において、両側の平ゴム帯(3)を引張って、雌雄面ファスナー(60)(61)により当該平ゴム帯(3)を係着すれば、全体としてバンド部(2)を絞れば、一度にバストアップでき、左右いずれかのアンダーバストへのフィットが不十分又は不快であれば、背面中央部分を基点として当該アンダーバストを調節する側の平ゴム帯(3)が伸縮することとなり、当該片方の乳房側のアンダーバストを調節することができる。
【００２２】
従って、更に確実に、且つ思い通りに、片方の乳房側のアンダーバストの調節を行うことができる。
【００２３】
また、以上の実施例１及び２に示した妊産婦用ブラジャーの前開き部分の係脱手段は、雌雄のスナップボタン(60)(61)に限らず、一般的な釦や種々のファスナー等を使用することもできる。即ち、本発明においては、妊産婦用ブラジャーの前開き部分の係脱とは別にアンダーバストの調節機構を有することで、乳房を露出することなく、アンダーバストの調節を可能とする趣旨である。
【００２４】
更に、本発明においては、ベスト型の妊産婦用ブラジャーに限るものではなく、図４に示すように、ブラジャー型の妊産婦用ブラジャーも含むものである。
【００２５】
尚、本実施例においては、伸縮性生地(10)としてメリヤス生地を使用したが、ポリウレタン織物やストレッチ織物等の他の伸縮性を有する生地を使用することもできる。
【００２６】
また、バンド部(2)の背面中央部分において、当該バンド部(2)のメリヤス生地(10a)と内包される平ゴム帯(3)とを固着する手段としては、実施例２のように縫着によるものでもよいし、その他、接着、溶着、鋲着等の種々の公知の手段を使用することができる。
【００２７】
更に、本発明において、ブラジャー主体(1)の下縁にバンド部を設ける、という場合には、上記実施例に示すように、ブラジャー主体(1)の下縁を折り返して形成することは勿論、当該ブラジャー主体(1)の下縁に対して別途形成したバンド部を縫着等して形成することも含む。
【００２８】
また、実施例においてブラジャー主体(1)は、正面側及び背面側の２枚の生地を縫製したものとしているが、本発明においてはこれに限られるものではなく、３枚以上の生地を縫製して製造することもできる。
【００２９】
以上のように、本発明によれば、ブラジャー主体(1)の伸縮性生地(10)によって当該妊産婦用ブラジャーを十分にフィットさせるとともに、前記ブラジャー主体(1)とは別個独立したバンド部(2)によって、アンダーバスト、左右夫々の乳房について、手軽に最適な状態として調節することができる非常に優れた効果を有するものである。
【図面の簡単な説明】
【図１】本発明の実施例１に係る妊産婦用ブラジャーを示す正面図である。
【図２】実施例１に係る妊産婦用ブラジャーの右胸側を展開した正面図である。
【図３】実施例２に係る妊産婦用ブラジャーの背面図である。
【図４】本発明の他の実施例に係るブラジャー型の妊産婦用ブラジャーを示す説明図である。
【符号の説明】
(1)       ブラジャー主体
(10)      伸縮性生地
(10a)   メリヤス生地
(2)       バンド部
(22)      開口部
(23)      生地
(3)       平ゴム帯
(30)      端部
(4)       裏打ち部
(5)       環体
(60)      面ファスナー
(61)      面ファスナー
(7)       ダーツ
(80)      スナップボタン
(81)      スナップボタン
【図１】
0003946961.tif 000002
【図２】
0003946961.tif 000003
【図３】
0003946961.tif 000004
【図４】
0003946961.tif 000005